(57)【要約】【課題】タオルやバスタオルなどのタオル類だけでなく、玄関マットやバスマットなどのマット類も安定性良く干すことができ、しかもコンパクトに折り畳みが可能で且つ安価に製作可能な物干し器を提供する。【解決手段】連結軸３を中心に脚パイプ２Ｌ、２Ｒを設定角度開脚させた設置姿勢と、脚パイプ２Ｌ、２Ｒを閉脚させた収納姿勢とに姿勢切換え可能な支持脚４と、脚パイプ２Ｌ、２Ｒにそれぞれ設けた１対の物干し具５Ｌ、５Ｒと、物干し具５Ｌ、５Ｒのアームロッド７を略水平な展開姿勢に係脱可能に係止する係止手段８と、脚パイプ２Ｌ、２Ｒの脚部２ａ、２ｂ間に架設され、脚部２ａ、２ｂと平行な折畳姿勢に物干し具５Ｌ、５Ｒを係止する係止ロッド９とを備え、物干し具５Ｌ、５Ｒを展開姿勢に保持した第１物干し姿勢と、物干し具５Ｌ、５Ｒを折畳姿勢に係止した第２物干し姿勢とに姿勢切換え可能となした。【選択図】図１
0003169499.tif 000002
【実用新案登録請求の範囲】
【請求項１】
Ｕ字状の１対の脚パイプと、両脚パイプの両端部を回動自在に架設状に連結する連結軸とを有し、該連結軸を中心に両脚パイプを設定角度開脚させた設置姿勢と、両脚パイプを閉脚させた収納姿勢とに姿勢切換え可能な支持脚と、
前記両脚パイプにそれぞれ設けた１対の物干し具であって、脚パイプの１対の脚部間に回動自在に架設支持した枢支ロッドと、該枢支ロッドの長さ方向に間隔をあけて複数並設され、該枢支ロッドから側方へ片持ち状に延びる複数のアームロッドとを有する１対の物干し具と、
前記物干し具のアームロッドを略水平な展開姿勢に係脱可能に係止する係止手段と、
前記脚パイプの脚部間に架設され、前記脚部と平行な折畳姿勢に物干し具を係止する係止ロッドと、
を備え、両脚パイプを設置姿勢に保持するとともに、前記物干し具を展開姿勢に保持した第１物干し姿勢と、両脚パイプを設置姿勢に保持するとともに、前記物干し具を折畳姿勢に係止した第２物干し姿勢とに姿勢切換え可能となしたことを特徴とする物干し器。
【請求項２】
前記係止手段として、前記枢支ロッドよりも前記アームロッドの基端側を連結する連結ロッドを前記枢支ロッドと平行に前記両物干し具に設けるとともに、一方の物干し具の複数のアームロッドのうちの特定のアームロッドに、他方の物干し具の連結ロッドに下側から係止可能して係止部を形成し、他方の物干し具の複数のアームロッドのうちの特定のアームロッドに、一方の物干し具の連結ロッドに下側から係止可能な係止部を形成した請求項１記載の物干し具。
【請求項３】
少なくとも一方の物干し具の係止部をフック部で構成し、該フック部が他方の物干し具の連結ロッドに係合することで、両脚パイプが設置姿勢以上に開脚しないように構成した請求項２記載の物干し具。
【請求項４】
一方の脚パイプの脚部と、該脚部に隣接する他方の脚パイプの脚部とを連結する連結紐を設け、該連結紐の長さを一方の物干し具の係止部の回動軌跡が他方の物干し具の連結ロッドに干渉しない位置まで、両脚パイプを設置姿勢よりも開脚させた状態で緊張状態となるように長さ設定した請求項２又は３記載の物干し器。
【請求項５】
前記係止手段として、一方の物干し具の複数のアームロッドのうちの特定のアームロッドに、他方の物干し具の枢支ロッドに下側から係止可能な係止部を形成し、他方の物干し具の複数のアームロッドのうちの特定のアームロッドに、一方の物干し具の枢支ロッドに下側から係止可能な係止部を形成した請求項１記載の物干し器。
【請求項６】
前記連結軸にスリーブを回転自在に外装した請求項１〜５のいずれか１項記載の物干し器。
【考案の詳細な説明】
【技術分野】
【０００１】
本考案は、タオルやバスタオルなどのタオル類だけでなく、玄関マットやバスマットなのどの比較的大型なマット類を干すことが可能な物干し器に関する。
【背景技術】
【０００２】
玄関マットやバスマットなのどの比較的大型なマット類を干すことが可能な物干し器として、同幅同長の二枚のスノコ状板からなり、該二枚のスノコ状板の対向内端を連結部材を介して折畳み可能に連結するとともに、一方のスノコ状板における中央桁の外端に二枚のスノコ状板を逆Ｖ字状に保持する支持体を回動自在に設け、二枚のスノコ状板を平板状に広げて、バスマット敷板として利用でき、倒立Ｖ字状に設置して、マット類の物干し器として利用でき、二つに折り畳んで収納可能なバスマット敷板兼用の物干し器が提案されている（例えば、特許文献１参照。）。
【０００３】
また、本出願人は、特許文献２において、略Ｕ字状の１対の脚パイプと、両脚パイプの端部同士を回動自在に連結する連結軸とを有し、両脚パイプを設定角度開脚させた設置姿勢と、両脚パイプを閉脚させた収納姿勢とに姿勢切換え可能な支持脚と、両脚パイプにそれぞれ設けた物干し具であって、脚パイプにおける１対の脚部の途中部間に回動自在に架設支持した枢支部と、枢支部の長さ方向に間隔をあけて複数並設され、枢支部から一側方へ片持ち状に延びる複数のアーム部と、枢支部から他側方へ延びて他方の脚パイプの脚部に係脱可能に係合し、アーム部を略水平な物干し姿勢に保持する係合部とを有する物干し具とを備えた物干し器を提案している。
【先行技術文献】
【特許文献】
【０００４】
【特許文献１】実用新案登録第３１０４５５１号公報
【特許文献２】特開２００７−２２２３５９号公報
【考案の概要】
【考案が解決しようとする課題】
【０００５】
特許文献１記載の考案では、玄関マットやバスマットなどのマット類を安定性良く干すことができるが、タオルやバスタオルなどのタオル類等を引っ掛けて干すことができず、物干し器として、汎用性に欠けるものであった。
【０００６】
また、特許文献２記載の物干し器は、小型軽量で容易に持ち運びが可能であり、しかも脚パイプを重ね合わせてコンパクトに折り畳むことができるので、ベランダに限らず室内での使用にも好適であるが、玄関マットやバスマットなどの比較的大型で重量のあるマット類を安定性良く干すことができないものであった。
【０００７】
本考案の目的は、タオルやバスタオルなどのタオル類だけでなく、玄関マットやバスマットなどのマット類も安定性良く干すことができ、しかもコンパクトに折り畳みが可能で且つ安価に製作可能な物干し器を提供することである。
【課題を解決するための手段】
【０００８】
本考案に係る物干し器は、Ｕ字状の１対の脚パイプと、両脚パイプの両端部を回動自在に架設状に連結する連結軸とを有し、該連結軸を中心に両脚パイプを設定角度開脚させた設置姿勢と、両脚パイプを閉脚させた収納姿勢とに姿勢切換え可能な支持脚と、前記両脚パイプにそれぞれ設けた１対の物干し具であって、脚パイプの１対の脚部間に回動自在に架設支持した枢支ロッドと、該枢支ロッドの長さ方向に間隔をあけて複数並設され、該枢支ロッドから側方へ片持ち状に延びる複数のアームロッドとを有する１対の物干し具と、前記物干し具のアームロッドを略水平な展開姿勢に係脱可能に係止する係止手段と、前記脚パイプの脚部間に架設され、前記脚部と平行な折畳姿勢に物干し具を係止する係止ロッドとを備え、両脚パイプを設置姿勢に保持するとともに、前記物干し具を展開姿勢に保持した第１物干し姿勢と、両脚パイプを設置姿勢に保持するとともに、前記物干し具を折畳姿勢に係止した第２物干し姿勢とに姿勢切換え可能となしたものである。
【０００９】
この物干し器では、タオルやバスタオルなどのタオル類を干すときには、連結軸を中心に両脚パイプを設定角度開脚させて、両脚パイプを設置姿勢に保持するとともに、枢支ロッドを中心に両物干し具の複数のアームロッドを水平な展開姿勢に回転させて、物干し具の姿勢を係止手段で展開姿勢に係止し、物干し器を第１物干し姿勢に切換えて、展開姿勢のアームロッドにタオル類を吊下げてタオル類を干すことになる。また、マット類を干すときには、両脚パイプを設置姿勢に保持するとともに、枢支ロッドを中心に両物干し具のアームロッドを折畳姿勢に回動させて係止ロッドに係止させ、両物干し具のアームロッドを脚パイプに沿った倒立Ｖ字状に係止した、第２物干し姿勢に物干し器の姿勢を切換えて、連結軸及び倒立Ｖ字状のアームロッドに沿ってマット類を載せ掛けて、マット類を干すことになる。更に、物干し器を収納するときには、第２物干し姿勢から両脚パイプを重ね合わせるとともに、両物干し具を重ね合わせて、物干し器を平板状に折り畳んで収納することになる。
【００１０】
このように、この物干し器では、第１物干し姿勢に切換えることで、タオルやバスタオルなどのタオル類を干すことができ、また第２物干し姿勢に切換えることで、玄関マットやバスマットなどのマット類も安定性良く干すことができ、しかもマット類の上面側だけでなくアームロッド間の隙間を通じてマット類の下面側も外部に露出するので、効率的にマット類を乾かすことができる。更に、平板状に折り畳んで、家具と壁間の隙間等のデッドスペースを利用してコンパクトに収納することができる。また、パイプと金属ロッドなどの安価に入手可能な材料を用いて容易且つ安価に製作できる。
【００１１】
ここで、前記係止手段として、前記枢支ロッドよりも前記アームロッドの基端側を連結する連結ロッドを前記枢支ロッドと平行に前記両物干し具に設けるとともに、一方の物干し具の複数のアームロッドのうちの特定のアームロッドに、他方の物干し具の連結ロッドに下側から係止可能な係止部を形成し、他方の物干し具の複数のアームロッドのうちの特定のアームロッドに、一方の物干し具の連結ロッドに下側から係止可能な係止部を形成することが好ましい実施の形態である。この場合には、アームロッドに設けた簡単な構成の係止部により係止手段を構成することができる。
【００１２】
少なくとも一方の物干し具の係止部を他方の物干し具の連結ロッドに下側から係合可能なフック部で構成し、該フック部が他方の物干し具の連結ロッドに係合することで、両脚パイプが設置姿勢以上に開脚しないように構成することもできる。他方の物干し具の連結ロッドに下側から係止するだけの係止部を形成した場合には、両脚ロッドが設置姿勢以上に開脚したときに、係止部が他方の物干し具の連結ロッドから離脱して、アームロッドが折畳姿勢に回動することがある。本考案では、このような現象を防止するため、少なくとも一方の物干し具の係止部を他方の物干し具の連結ロッドに下側から係合可能なフック部で構成し、両脚ロッドが設置姿勢以上に開脚することを防止することで、物干し器を第１物干し姿勢に安定的に保持することができる。
【００１３】
一方の脚パイプの脚部と、該脚部に隣接する他方の脚パイプの脚部とを連結する連結紐を設け、該連結紐の長さを一方の物干し具の係止部の回動軌跡が他方の物干し具の連結ロッドに干渉しない位置まで、両脚パイプを設置姿勢よりも開脚させた状態で緊張状態となるように長さ設定することも好ましい実施の形態である。第１物干し姿勢から第２物干し姿勢に姿勢を切換える際には、一方の物干し具の係止部の回動軌跡が他方の物干し具の連結ロッドに干渉しない位置まで、両脚パイプを設置姿勢よりも開脚させることになるが、このとき両脚パイプを開脚しすぎて、第２物干し姿勢への切換えが円滑に実施できない可能性があるので、連結紐で両脚パイプの開脚量を規制して、両脚パイプが開脚しすぎないように構成することが好ましい。
【００１４】
前記係止手段として、一方の物干し具の複数のアームロッドのうちの特定のアームロッドに、他方の物干し具の枢支ロッドに下側から係止可能な係止部を形成し、他方の物干し具の複数のアームロッドのうちの特定のアームロッドに、一方の物干し具の枢支ロッドに下側から係止可能な係止部を形成することもできる。この場合には、両物干し具をそれぞれ独立に展開姿勢に切換えることが可能となるので、両物干し具を展開姿勢に保持して、タオル類を両物干し具のアームロッドに掛けることができるとともに、片側の物干し具のみを展開姿勢に保持してタオル類を干すことも可能となる。
【００１５】
前記連結軸にスリーブを回転自在に外装することもできる。この場合には、第２物干し姿勢に切換えた物干し器の倒立Ｖ字状の頂部にスリーブが配置されることになるので、物干し器に干し掛けるマット類の位置を調整するときに、スリーブを回転させながら位置調整できるので、脚パイプを横倒しにする方向への荷重を少なくしつつ、マット類の位置調整が可能となる。
【考案の効果】
【００１６】
本考案に係る物干し器によれば、第１物干し姿勢に切換えることで、タオルやバスタオルなどのタオル類を干すことができ、また第２物干し姿勢に切換えることで、玄関マットやバスマットなどのマット類も安定性良く干すことができ、しかもマット類の上面側だけでなくアームロッド間の隙間を通じてマット類の下面側も外部に露出するので、効率的にマット類を乾かすことができる。更に、平板状に折り畳んで、家具と壁間の隙間等のデッドスペースを利用してコンパクトに収納することができる。また、パイプと金属ロッドなどの安価に入手可能な材料を用いて容易且つ安価に製作できる。
【図面の簡単な説明】
【００１７】
【図１】物干し器の第１物干し姿勢での斜視図
【図２】物干し器の第２物干し姿勢での斜視図
【図３】物干し器の第１物干し姿勢での正面図
【図４】物干し器の第２物干し姿勢での正面図
【図５】物干し具の収納姿勢での正面図
【図６】図１のVI-VI線断面図
【図７】(ａ)（ｂ）は物干し器の第１物干し姿勢から第２物干し姿勢への姿勢切換え方法の説明図
【図８】(ａ)（ｂ）は物干し器の第１物干し姿勢から第２物干し姿勢への姿勢切換え方法の説明図
【図９】物干し器の収納姿勢の説明図
【図１０】マット類の乾燥方法の説明図
【図１１】他の構成の係止手段の説明図
【図１２】他の構成の係止手段を用いた物干し器の第１物干し姿勢での斜視図
【図１３】同係止手段を用いた物干し器の第３物干し姿勢での斜視図
【考案を実施するための形態】
【００１８】
以下、本考案の実施の形態について図面を参照しながら説明する。なお、本実施の形態では、図１に記載の前後左右を基準に前後左右を定義して説明する。
【００１９】
図１〜図５に示すように、物干し器１は、Ｕ字状の左右１対の脚パイプ２Ｌ、２Ｒと、両脚パイプ２Ｌ、２Ｒの上端部を回動自在に連結する連結軸３とを有し、該連結軸３を中心に両脚パイプ２Ｌ、２Ｒを設定角度開脚させた設置姿勢と、両脚パイプ２Ｌ、２Ｒを左右に重ね合わせて閉脚させた収納姿勢とに姿勢切換え可能な支持脚４と、両脚パイプ２Ｌ、２Ｒにそれぞれ設けた左右１対の物干し具５Ｌ、５Ｒであって、両脚パイプ２Ｌ、２Ｒの前後の脚部２ａ、２ｂの上部間に回動自在にそれぞれ架設支持した枢支ロッド６と、枢支ロッド６に前後方向（長さ方向）に間隔をあけて複数並設されて、該枢支ロッド６から側方へ片持ち状に延びる複数のアームロッド７とを有する左右１対の物干し具５Ｌ、５Ｒと、左右の物干し具５Ｌ、５Ｒのアームロッド７を略水平な展開姿勢に係脱可能に係止する係止手段８と、脚パイプ２Ｌ、２Ｒの前後の脚部２ａ、２ｂ間にそれぞれ架設され、脚部２ａ、２ｂと平行な折畳姿勢にアームロッド７を係止する左右１対の係止ロッド９とを備え、図１、図３に示すように、両脚パイプ２Ｌ、２Ｒを設置姿勢に保持するとともに、アームロッド７を展開姿勢に保持した第１物干し姿勢と、図２、図４に示すように、両脚パイプ２Ｌ、２Ｒを設置姿勢に保持するとともに、アームロッド７を折畳姿勢に係止した第２物干し姿勢と、図５に示すように、左右の脚パイプ２Ｌ、２Ｒ及び左右の物干し具５Ｌ、５Ｒを重ね合わせた収納姿勢に姿勢切換え可能となしたものである。
【００２０】
左右の脚パイプ２Ｌ、２Ｒは、図１〜図６に示すように、金属製のパイプ部材を略Ｕ字状に折り曲げて製作したもので、略平行に配置される前後１対の脚部２ａ、２ｂと、脚部２ａ、２ｂの下端部を連結する設置部２ｃとをそれぞれ有している。脚パイプ２Ｌ、２Ｒの両端部（脚部２ａ、２ｂの上端部）には設置部２ｃと直交する平坦な扁平部２ｄがそれぞれ形成され、扁平部２ｄの先端近傍部には連結軸３が挿通する挿通孔１０がそれぞれ形成され、脚パイプ２Ｌ、２Ｒの両端部には扁平部２ｄを含む面内で一方向に折り曲げた折曲部２ｅが形成されている。左右の脚パイプ２Ｌ、２Ｒは、物干し器１の部材の種類が極力少なくなるように、同一部材で構成することが好ましい。また、前後の脚部２ａ、２ｂの端部に折曲部２ｅを形成することで、図５に示すように、脚パイプ２Ｌ、２Ｒを折り畳んだ状態で、左側の脚パイプ２Ｌの脚部２ａ、２ｂと右側の脚パイプ２Ｒの脚部２ａ、２ｂとが左右に相互に干渉しないで配置されるように構成されている。
【００２１】
左右の脚パイプ２Ｌ、２Ｒの連結構造について説明すると、図１〜図６に示すように、左側の脚パイプ２Ｌにおける前側の扁平部２ｄと、右側の脚パイプ２Ｒにおける前側の扁平部２ｄとは、３枚のワッシャ１１を介装した状態で前後に重ね合わせて設けられ、右側の脚パイプ２Ｒにおける前側の扁平部２ｄの前側にはワッシャ１２が設けられている。左側の脚パイプ２Ｌにおける後側の扁平部２ｄと、右側の脚パイプ２Ｒにおける後側の扁平部２ｄとは、３枚のワッシャ１１を介装した状態で前後に重ね合わせて設けられ、左側の脚パイプ２Ｌにおける後側の扁平部２ｄの後側にはワッシャ１２が設けられている。４つの扁平部２ｄ及び６枚のワッシャ１１及び２枚のワッシャ１２を挿通して連結軸３が設けられ、連結軸３の前後両端部にはネジ部３ａ、３ｂが形成され、連結軸３の前側のネジ部３ａには前側の２枚の扁平部２ｄと３枚のワッシャ１１と１枚のワッシャ１２を挟んで１対のナット部材１３が設けられ、前側の２枚の扁平部２ｄは、前側のナット部材１３を締め付けることで、両ナット部材１３間に適度な操作抵抗で回動自在に連結保持されている。連結軸３の後側のネジ部３ｂには後側の２枚の扁平部２ｄと３枚のワッシャ１１と１枚のワッシャ１２を挟んで１対のナット部材１４が設けられ、後側の２枚の扁平部２ｄは、後側のナット部材１４を締め付けることで、両ナット部材１４間に適度な操作抵抗で回動自在に連結保持されている。連結軸３にはスリーブ１５が外嵌され、スリーブ１５の両端部は４つのナット部材１３、１４のうちの内側に配置される１対のナット部材１３、１４に回転自在に外嵌されている。ただし、ワッシャ１１は、３枚以外の枚数に設定することも可能である。また、左右の脚パイプ２Ｌ、２Ｒの連結構造としては、前後の脚部２ａ、２ｂの扁平部２ｄ間に架設状に配置される連結軸３を有するものであれば、前述した以外の構成を採用することも可能である。
【００２２】
左右の物干し具５Ｌ、５Ｒについて説明すると、脚パイプ２Ｌ、２Ｒの前後の脚部２ａ、２ｂの上部には枢支ロッド６が回転自在に架設状に枢支され、枢支ロッド６には前後方向に間隔をあけて複数本のアームロッド７が片持ち状に設けられている。左右の物干し具５Ｌ、５Ｒは、物干し器１を構成する部材の種類が極力少なくなるように、同一部材で構成されている。アームロッド７は、タオル類Ｔを引っ掛けて干すことができるように、タオル類Ｔの幅よりもやや長尺に構成され、アームロッド７の先端部には引っ掛けたタオル類Ｔの脱落を防止する係止フック１６が形成されている。ただし、アームロッド７の本数は、物干し器１の大きさなどに応じて任意に設定できる。また、枢支ロッド６からアームロッド７の先端部（遊端部）までの長さは、全て同じに設定することもできるが、左右の物干し具５Ｌ、５Ｒで異なる長さに設定することも可能であるし、同一物干し具５Ｌ、５Ｒにおけるアームロッド７の先端部までの長さを異なる長さに設定することも可能である。
【００２３】
係止手段８について説明すると、図７に示すように、枢支ロッド６よりもアームロッド７の基端側を連結する連結ロッド１７が枢支ロッド６と平行に物干し具５Ｌ、５Ｒにそれぞれ設けられ、物干し具５Ｌ、５Ｒの複数のアームロッド７のうちの特定のアームロッド７Ａには連結ロッド１７から枢支ロッド６とは反対側へ延びて、反対側の物干し具５Ｒ、５Ｌの連結ロッド１７に下側から係止可能な係止部１８が形成されている。なお、特定のアームロッド７Ａの本数は、本実施の形態では４本に設定したが、物干し具５Ｌ、５Ｒに作用する荷重を支持可能な任意の本数設けることができる。また、係止部１８は、略Ｕ字状や略Ｌ字状などのフック部で構成することができる。
【００２４】
左右の枢支ロッド６の前端部と後端部とをそれぞれ連結する連結紐１９が設けられている。連結紐１９は、可撓性を有し伸縮しない紐状の部材であれば任意の素材からなるものを採用することができ、本実施の形態ではチェーンで構成したが、天然繊維や合成繊維などからなる紐状部材で構成することもできるし、ワイヤー等の金属線で構成することもできる。
【００２５】
連結紐１９の長さは、図８に示すように、連結紐１９を緊張させて、脚パイプ２Ｌ、２Ｒを最も開脚させた状態で、左側の物干し具５Ｌの枢支ロッド６を中心とした係止部１８の先端部の移動軌跡Ｌ１と、右側の物干し具５Ｒの枢支ロッド６を中心とした連結ロッド１７の移動軌跡Ｌ２とが干渉せず、右側の物干し具５Ｒの枢支ロッド６を中心とした係止部１８の先端部の移動軌跡Ｌ３と、左側の物干し具５Ｒの枢支ロッド６を中心とした連結ロッド１７の移動軌跡Ｌ４とが干渉しない位置関係となるような長さに設定されている。
【００２６】
脚パイプ２Ｌ、２Ｒの前後の脚部２ａ、２ｂの高さ方向の中央部よりもやや低い位置には係止ロッド９が架設状にそれぞれ固定され、図２に示すように、アームロッド７を脚部２ａ、２ｂに沿った位置に回動させたときに、アームロッド７の先端近傍部に係止ロッド９が内側から当接して物干し具５Ｌ、５Ｒを脚部２ａ、２ｂに沿った折畳姿勢に保持できるように構成されている。
【００２７】
次に、物干し器１の使用方法について説明する。
図１、図３に示す第１物干し姿勢では、左右の脚パイプ２Ｌ、２Ｒが倒立Ｖ字状の設置姿勢に開脚されるとともに、アームロッド７が略水平になるように左右の物干し具５Ｌ、５Ｒが展開姿勢に保持される。具体的には、図７に示すように、左側の物干し具５Ｌの係止部１８が右側の物干し具５Ｒの連結ロッド１７に下側から引っ掛けられるとともに、右側の物干し具５Ｒの係止部１８が左側の物干し具５Ｌの連結ロッド１７に下側から引っ掛けられて、アームロッド７を水平にした展開姿勢に左右の物干し具５Ｌ、５Ｒが保持され、しかもこの状態で、左右の連結ロッド１７の離間方向への移動が係止部１８により係止されて、左右の脚パイプ２Ｌ、２Ｒが設置姿勢以上に開脚することが規制されるので、物干し具５Ｌ、５Ｒを安定性良く設置することができる。そして、この第１物干し姿勢において、水平に延びる複数のアームロッド７に対してタオルやバスタオルなどのタオル類Ｔを引っ掛けて、タオル類Ｔを干すことができる。
【００２８】
図２、図４に示す第２物干し姿勢では、左右の脚パイプ２Ｌ、２Ｒが倒立Ｖ字状の設置姿勢に開脚されるとともに、アームロッド７の先端近傍部が係止ロッド９で係止されて、左右の物干し具５Ｌ、５Ｒが脚パイプ２Ｌ、２Ｒの脚部２ａ、２ｂに沿った折畳姿勢にそれぞれ保持される。また、この状態では、連結紐１９が緊張することで、左右の脚パイプ２Ｌ、２Ｒが設置姿勢以上に開脚しないように、脚パイプ２Ｌ、２Ｒの開脚方向への回動が規制される。そして、この第２物干し姿勢において、図１０に示すように、スリーブ１５及び倒立Ｖ字状の左右のアームロッド７に沿って玄関マットやバスマットなどの比較的大型なマット類Ｍを載せ掛けて、マット類Ｍを干すことができる。なお、この第２物干し姿勢での左右の脚パイプ２Ｌ、２Ｒの開脚角度は、第１物干し姿勢での脚パイプ２Ｌ、２Ｒの開脚角度よりも多少広くなる。
【００２９】
図１、図３に示す第１物干し姿勢から図２、図４に示す第２物干し姿勢に物干し器１の姿勢を切換える際には、図７(ａ)に示す状態から、図７（ｂ）に示すように、アームロッド７の先端部が水平よりも上側へ位置するように、枢支ロッド６を中心に左右の物干し具５Ｌ、５Ｒを回動させながら、図７（ｂ）に仮想線で示すように、左右の脚パイプ２Ｌ、２Ｒをやや閉脚させて、係止部１８と連結ロッド１７との係合を解除し、その後、図８(ａ)に示すように、連結紐１９が緊張するまで両脚パイプ２Ｌ、２Ｒを開脚させる。この状態で、図８（ａ）に仮想線で示すように、左右の物干し具５Ｌ、５Ｒの先端側を下側へ回動させて、図２、図８（ｂ）に示すように、左側のアームロッド７の先端近傍部を左側の係止ロッド９に当接させるとともに、右側のアームロッド７の先端近傍部を右側の係止ロッド９に当接させて、左右の物干し具５Ｌ、５Ｒを折畳姿勢に保持させ、物干し器１を第１物干し姿勢から第２物干し姿勢に切換えることになる。
【００３０】
また、物干し器１を収納する際には、第２物干し姿勢から、図５、図９に示すように、脚パイプ２Ｌ、２Ｒを収納姿勢に閉脚させて、物干し器１を平板状に折り畳み、スリーブ１５を手で保持して収納姿勢の物干し器１を家具等の隙間に挿入して収納することができる。
【００３１】
一方、収納した物干し器１を使用する際には、前記とは逆に、連結紐１９が緊張するまで左右の脚パイプ２Ｌ、２Ｒを開脚させて、物干し器１を第２物干し姿勢に切換えるか、或いは第２物干し姿勢から更にアームロッド７の先端部が水平よりも上側に位置するように物干し具５Ｌ、５Ｒを上側へ回動させてから、左右の脚パイプ２Ｌ、２Ｒをやや閉脚させるとともに、物干し具５Ｌ、５Ｒを水平位置まで回動させて、右側の物干し具５Ｒの係止部１８を左側の物干し具５Ｌの連結ロッド１７に下側から係合させるとともに、左側の物干し具５Ｌの係止部１８を右側の物干し具５Ｒの連結ロッド１７に下側から係合させて、左右のアームロッド７を略水平に配置した展開姿勢に左右の物干し具５Ｌ、５Ｒを保持させて、物干し器１を第１物干し姿勢に切換えることになる。
【００３２】
このように、この物干し器１では、アームロッド７を水平にした第１物干し姿勢に物干し器１の姿勢を切換えることで、左右のアームロッド７に対してバランスよくタオルやバスタオルなどのタオル類Ｔを干すことができ、また左右のアームロッド７を倒立Ｖ字状に配置した第２物干し姿勢に切換えることで、玄関マットやバスマットなどのマット類Ｍも安定性良く干すことができる。しかも、左右の脚パイプ２Ｌ、２Ｒ及び左右の物干し具５Ｌ、５Ｒを平板状に折り畳んで、家具と壁間などの僅かなスペースを利用して、物干し器１をコンパクトに収納することができる。更に、パイプと金属ロッドなどの安価に入手可能な材料を用いて物干し器１を容易且つ安価に製作できる。
【００３３】
次に、前記物干し器１の構成を部分的に変更した他の実施の形態について説明する。なお、前記実施の形態と同一部材には同一符号を付してその詳細な説明を省略する。
（１）図１１に示す係止手段８Ａのように、物干し具５Ｌ、５Ｒの一方の係止部は連結ロッド１７に下側から当接するだけのストレート状の係止部１８Ａで構成することができる。この場合には、物干し具５Ｌ、５Ｒの他方のフック状の係止部１８が連結ロッド１７に係合することで、脚パイプパイプ２Ｌ、２Ｒが設置姿勢以上に開脚することを規制できる。
【００３４】
（２）図１２に示す係止手段８Ｂのように、連結ロッド１７に代えて、アームロッド７の枢支ロッド６よりも先端側に複数のアームロッド７を連結する連結ロッド１７Ｂを枢支ロッド６と平行に設け、左側の物干し具５ＢＬの複数のアームロッド７のうちの特定のアームロッド７Ｂに、右側の物干し具５ＢＲの枢支ロッド６に下側から係止可能な係止部１８を形成し、右側の物干し具５ＢＲの複数のアームロッド７のうちの特定のアームロッド７Ｂに、左側の物干し具５ＢＬの枢支ロッド６に下側から係止可能な係止部１８を形成することができる。係止部１８としては、左右の脚パイプ２Ｌ、２Ｒが設置姿勢以上に開脚することを規制するため、Ｕ字状やＬ字状のフック部で構成することが好ましい。この場合には、前記実施の形態における物干し器１と同様に、物干し器１Ｂの姿勢を第１物干し姿勢及び第２物干し姿勢に切換可能であるとともに、図１３に示すように、左右の物干し具５ＢＬ、５ＢＲの一方のみを展開姿勢にした第３物干し姿勢に物干し器１Ｂの姿勢を切換えることができるので、例えば少数枚のタオル類Ｔを干すときに好適である。ただし、連結ロッド１７Ｂは省略することができる。
【００３５】
以上、本考案の実施形態について説明したが、本考案は前述した実施形態に何ら限定されるものではなく、本考案の要旨を逸脱しない範囲においてその構成を変更し得ることは勿論である。
【符号の説明】
【００３６】
１      物干し器        ２Ｌ    脚パイプ
２Ｒ    脚パイプ        ２ａ    脚部
２ｂ    脚部            ２ｃ    設置部
２ｄ    扁平部          ２ｅ    折曲部
３      連結軸          ３ａ    ネジ部
３ｂ    ネジ部          ４      支持脚
５Ｌ    物干し具        ５Ｒ    物干し具
６      枢支ロッド      ７      アームロッド
７Ａ    アームロッド    ８      係止手段
９      係止ロッド      １０    挿通孔
１１    ワッシャ        １２    ワッシャ
１３    ナット部材      １４    ナット部材
１５    スリーブ        １６    係止フック
１７    連結ロッド      １８    係止部
１９    連結紐
８Ａ    係止手段        １８Ａ  係止部
１Ｂ    物干し器        ２ＢＬ  脚パイプ
２ＢＲ  脚パイプ        ８Ｂ    係止手段
７Ｂ    アームロッド    １７Ｂ  連結ロッド
Ｍ      マット類        Ｔ      タオル類
【図１】
0003169499.tif 000003
【図２】
0003169499.tif 000004
【図３】
0003169499.tif 000005
【図４】
0003169499.tif 000006
【図５】
0003169499.tif 000007
【図６】
0003169499.tif 000008
【図７】
0003169499.tif 000009
【図８】
0003169499.tif 000010
【図９】
0003169499.tif 000011
【図１０】
0003169499.tif 000012
【図１１】
0003169499.tif 000013
【図１２】
0003169499.tif 000014
【図１３】
0003169499.tif 000015
【手続補正書】
【提出日】平成23年6月1日(2011.6.1)
【手続補正１】
【補正対象書類名】実用新案登録請求の範囲
【補正対象項目名】請求項２
【補正方法】変更
【補正の内容】
【請求項２】
前記係止手段として、前記枢支ロッドよりも前記アームロッドの基端側を連結する連結ロッドを前記枢支ロッドと平行に前記両物干し具に設けるとともに、一方の物干し具の複数のアームロッドのうちの特定のアームロッドに、他方の物干し具の連結ロッドに下側から係止可能して係止部を形成し、他方の物干し具の複数のアームロッドのうちの特定のアームロッドに、一方の物干し具の連結ロッドに下側から係止可能な係止部を形成した請求項１記載の物干し器。
【手続補正２】
【補正対象書類名】実用新案登録請求の範囲
【補正対象項目名】請求項３
【補正方法】変更
【補正の内容】
【請求項３】
少なくとも一方の物干し具の係止部をフック部で構成し、該フック部が他方の物干し具の連結ロッドに係合することで、両脚パイプが設置姿勢以上に開脚しないように構成した請求項２記載の物干し器。